(57)【要約】      （修正有）【課題】屋根の施工をする場合において、ユニット間の間隔を容易に、かつ、短時間で定めることができるようにし、さらには位置決めも容易とすることで、高所作業である屋根垂木取り付け作業の安全性を保ち、かつ、同作業の効率化を図る複数の垂木をまとめてユニット化した垂木ユニットを提供する。【解決手段】少なくとも３本の垂木２０と、該垂木２０の間を連結する転び止め２２と、を有する垂木ユニット１０であって、前記垂木２０の間隔のうちの１つは、複数の小屋束４０の間を架け渡す天秤梁４５の幅と一致する。【選択図】図３
0003219200.tif 000002
【実用新案登録請求の範囲】
【請求項１】
少なくとも３本の垂木と、該垂木の間を連結する転び止めと、を有する垂木ユニットであって、
前記垂木の間隔のうちの１つは、複数の小屋束の間を架け渡す天秤梁の幅と一致することを特徴とする垂木ユニット。
【請求項２】
複数の母屋と、複数の小屋束と、前記複数の小屋束の間を架け渡す天秤梁と、を有する小屋組の上に、少なくとも３本の垂木と、該垂木の間を連結する転び止めと、を有する垂木ユニットが載置されることによってなる屋根構造であって、
前記天秤梁の少なくとも一方の端部は前記複数の小屋束の間隔よりも張り出すように形成されており、
前記垂木ユニットにおける前記垂木の間の間隔のうちの１つが前記天秤梁の幅と一致するように形成されていることで、該間隔を構成する両垂木が該天秤梁の端部を両側から挟み込んで固定していることを特徴とする屋根構造。
【考案の詳細な説明】
【技術分野】
【０００１】
本考案は、住宅の屋根に施工される垂木をユニット化した垂木ユニット及びこれを使用する屋根構造に関する。
【背景技術】
【０００２】
屋根に施工される垂木は通常、屋根荷重を支える必要上、幅に比べ成勝ちとなっている。そのため、垂木が側面方向に転倒することを防止する目的で、転び止めと称する部材を、垂木が支持されている母屋等の横架部材の上に、垂木の側面を支えるように固定する、ということが実施されている（下記特許文献１〜３参照）。
【０００３】
また、下記特許文献２に記載の技術では、複数の垂木間に転び止めの部材が固定された屋根パネルが開示されている。
【先行技術文献】
【特許文献】
【０００４】
【特許文献１】特開２００４−１１６１２７号公報
【特許文献２】特開２００３−１８４２１６号公報
【特許文献３】特開平８−２９６３０４号公報
【考案の概要】
【考案が解決しようとする課題】
【０００５】
上記特許文献２に記載の技術で開示されている屋根パネルは、複数の垂木をまとめて屋根に設置できるものであり、垂木を一本一本設置する場合に比べて施工の労力を削減できるものと思われる。
【０００６】
ところでこの屋根パネルは、１面の屋根について少なくとも２つを設置するものと考えられる。その場合、屋根パネル間に間隔を設けようとすると、通常の垂木を設置する場合と同様、所定の間隔となるよう長さを測って施工する必要がある。
【０００７】
また、このような屋根パネルを軒桁、母屋及び棟木の上に架け渡すときに、位置決めが困難である、という問題もある。
【０００８】
本考案は、複数の垂木をまとめてユニット化したものを用いて屋根の施工をする場合において、ユニット間の間隔を容易に、かつ、短時間で定めることができるようにし、さらには位置決めも容易とし、もって高所作業である屋根垂木取り付け作業の安全性を保ち、かつ、同作業の効率化を図ることを課題とする。
【課題を解決するための手段】
【０００９】
上記の課題を解決すべく、本考案のうち第１の態様は、少なくとも３本の垂木と、該垂木の間を連結する転び止めと、を有する垂木ユニットであって、
前記垂木の間隔のうちの１つは、複数の小屋束の間を架け渡す天秤梁の幅と一致することを特徴とする。
【００１０】
本件考案の垂木ユニットは、複数本の垂木をあらかじめユニット化したものであり、屋根の１面について、複数個の垂木ユニットを並べることで、当該屋根の１面に垂木を架設することを目的とするものである。特に、このような複数個の垂木ユニットのうち、架設の際の位置決めを容易かつ明確にすることをと目的と知るものである。このように垂木をユニット化することで、垂木を一本一本架設するのに比べて施工の労力や所要時間を削減することができる。
【００１１】
この垂木ユニットは、平行な複数本（具体的には、３本以上）の垂木の間が、転び止めで連結されている構造を有している。この転び止めとは、架設した垂木が横転しないよう、垂木が架設される横架部材（たとえば、母屋又は棟木）の上において、垂木の側面に固定される部材である。
【００１２】
本件考案に係る垂木ユニットにおける転び止めは、垂木の間隔として設定される距離に相当する長さを有する板材として形成される。そして、この板材の小口が両側に位置する棟木の側面に固定されることとなっている。すなわち、この転び止めにより、複数の垂木が連結された形状を呈することになっている。そして、この転び止めの長さが、垂木の間隔を規定することにもなっている。換言すると、垂木ユニットが屋根の一部として架設された状態においては、転び止めが両端で接する垂木の横転を防ぐこととなっている
【００１３】
そして、このような垂木の間隔のうちの１つ、すなわち、少なくとも３本ある垂木のうちの特定の２本の間隔が、複数の小屋束の間を架け渡す天秤梁の幅と一致するように設定されている。換言すると、特定の２本の垂木の間に位置する転び止めの幅が天秤梁の幅と一致することで、該２本の垂木の間隔が天秤梁の幅と一致する。そして、垂木ユニットを屋根に装着するときには、この間隔を有する垂木の間に、天秤梁を挟めるようにすれば、位置決めが容易である。
【００１４】
また、本考案のうち第２の態様は、複数の母屋と、複数の小屋束と、前記複数の小屋束の間を架け渡す天秤梁と、を有する小屋組の上に、少なくとも３本の垂木と、該垂木の間を連結する転び止めと、を有する垂木ユニットが載置されることによってなる屋根構造であって、
前記天秤梁の少なくとも一方の端部は前記複数の小屋束の間隔よりも張り出すように形成されており、
前記垂木ユニットにおける前記垂木の間の間隔のうちの１つが前記天秤梁の幅と一致するように形成されていることで、該間隔を構成する両垂木が該天秤梁の端部を両側から挟み込んで固定していることを特徴とする。
【考案の効果】
【００１５】
本考案の態様は上記のように構成されているので、複数の垂木をまとめてユニット化したものを用いて屋根の施工をする場合において、ユニット間の間隔を容易に、かつ、短時間で、かつ、安全に定めることができるようになり、さらには位置決めも容易である。また、天秤梁の側面で垂木を固定することになるので、小屋組と屋根パネルとの固定をさらに強固にすることができる。
【図面の簡単な説明】
【００１６】
【図１】垂木ユニットの使用前の状態を示す平面図である。
【図２】図１の垂木ユニットの使用時の状態を示す平面図である。
【図３】図２の状態の垂木ユニットが屋根に設置された状態の家屋を斜視図で示す。
【図４】別の垂木ユニットの使用時の状態を示す平面図である。
【図５】図４の状態の垂木ユニットが屋根に設置された状態の家屋を斜視図で示す。
【考案を実施するための形態】
【００１７】
以下、本考案の実施の形態を、図面を参照しつつ説明する。
【００１８】
図１は、本実施の形態に係る垂木ユニット１０の使用前の状態を示す平面図である。
【００１９】
垂木ユニット１０は、複数本（図中では５本）の垂木２０が、屋根に装着した状態での上端部分（図中の上方）及び下端（図中の下方）寄りの位置でそれぞれ長方形の板材である転び止め２２で連結された構造を有する。なお、左から２本目及び３本目の垂木２０の間隔は他の間隔より狭くなっており、この部分には下端寄りの転び止め２２は設けられていない。この間隔（以下、「特定間隔２６」と称する。）は、後述する天秤梁４５の幅に相当する。
【００２０】
各垂木２０は、その上端が、屋根に装着した状態で垂直となるように、斜めに切り落とされている（図３参照）。また、上端付近で母屋５０に係止する箇所には直角三角形状の切り欠き２１が形成されている（図３参照）。
【００２１】
垂木ユニット１０の一方の側の端（図中では左端）の垂木２０の外側面の、転び止め２２が設けられている２箇所の付近にそれぞれ後付け転び止め部材２３が、両面テープで仮留めされている。これらの後付け転び止め部材２３は、施工時に仮留めされている位置から容易に取り外すことができ、図２に示すように、使用時には転び止め２２と横並びの位置に設置される。この後付け転び止め部材２３の長さは、隣接する垂木ユニット１０との間隔に相当するものである（図５参照）。
【００２２】
なお、各垂木２０の下端は鼻隠し２４で連結されている。この鼻隠し２４は、後付け転び止め部材２３の長さとほぼ同じ長さだけ、一方向（図中では左方向）に突出している。
【００２３】
図３は、図２の状態の垂木ユニット１０が家屋３０の屋根３１に設置された状態を斜視図で示すものである。この家屋３０においては、妻側壁３４の一方から、１階床３２と連続するデッキ３５が設けられており、その一部を覆うように、２階床３３と連続するデッキ天井３６も設けられている。
【００２４】
また、２階床３３からは、妻側壁３４の両方、その中間付近及びデッキ天井３６の辺縁の４箇所から、それぞれ１対の小屋束４０が立設されている。これらの小屋束４０のうち、妻側壁３４に設けられているものの上端には、水平な天秤梁４５が架け渡されている。この天秤梁４５の両方の端部は、この天秤梁４５が架け渡されている１対の小屋束４０の間隔よりも張り出すように形成されている。これらの小屋束４０は、天秤梁４５が設けられている場合にはその天秤梁４５を介して、また、天秤梁４５が設けられていない場合には直接、母屋５０を支持している。さらに、軒側壁３７の上端には軒桁５５が設置され、その角は屋根３１の傾斜と同角度に削がれた傾斜面５６となっている。
【００２５】
この家屋３０の屋根３１に垂木ユニット１０を設置する際には、まず、図１に示すような、後付け転び止め部材２３が仮留めされている状態のまま、設置場所まで挙上し、図３に示すように、デッキ３５が設けられていない方の天秤梁４５を、前記した、特定間隔２６の垂木２０の間に挟めるようにして、位置決めを行う。換言すると、前記垂木ユニット１０における前記垂木２０の間の間隔のうちの１つが、前記天秤梁４５の幅と一致する特定間隔２６に形成されていることで、該特定間隔２６を構成する両垂木２０が該天秤梁４５の端部を両側から挟み込んで固定する。その上で、垂木２０の切り欠き２１を母屋５０の角に係止させつつ、軒桁５５の傾斜面５６に垂木２０の下面を接触させる。この状態で、上端寄りの転び止め２２は、母屋５０の上面の上に接触し、また、下端寄りの転び止め２２は、軒桁５５の傾斜面５６に接触している。これらの転び止め２２はビスや釘などで母屋５０及び軒桁５５に固定される。
【００２６】
そして、仮留めされている上側の後付け転び止め部材２３を取り外し、左端の垂木２０の左側面に端部を接するようにして、上側の転び止め２２と同様に、母屋５０の上面にこれを固定する。同様に、仮留めされている下側の後付け転び止め部材２３も取り外し、左端の垂木２０の左側面に端部を接するようにして、下側の転び止め２２と同様に、軒桁５５の傾斜面５６にこれを固定する。
【００２７】
次いで、隣接する垂木ユニット１０が屋根３１に取り付けられる。この隣接する垂木ユニット１０は、図４に示すように、垂木の数（３本）及び後に天窓が設置される開口部２５が設けられている点、並びに、この開口部２５で真ん中の垂木２０が分断されている点で、図１及び図２に示す垂木ユニット１０とは相違している。この垂木ユニット１０においても、一方の側の端（図中では左端）の垂木２０の外側面の、転び止め２２が設けられている２箇所の付近にそれぞれ後付け転び止め部材２３が、両面テープで仮留めされている。これらの後付け転び止め部材２３は、施工時に仮留めされている位置から容易に取り外すことができ、図４に示すように、使用時には転び止め２２と横並びの位置に設置される。
【００２８】
この図４に示す垂木ユニット１０は、後付け転び止め部材２３が仮留めされている状態のまま、設置場所まで挙上し、図５に示すように、先に固定されている後付け転び止め部材２３の端に右端を突き合わせるようにして、位置決めを行う。その上で、垂木２０の切り欠き２１を母屋５０の角に係止させつつ、軒桁５５の傾斜面５６に垂木２０の下面を接触させる。この状態で、上端寄りの転び止め２２は、母屋５０の上面の上に接触し、また、下端寄りの転び止め２２は、軒桁５５の傾斜面５６に接触している。これらの転び止め２２はビスや釘などで母屋５０及び軒桁５５に固定される。
【００２９】
そして、仮留めされている上側の後付け転び止め部材２３を取り外し、左端の垂木２０の左側面に端部を接するようにして、上側の転び止め２２と同様に、母屋５０の上面にこれを固定する。同様に、仮留めされている下側の後付け転び止め部材２３も取り外し、左端の垂木２０の左側面に端部を接するようにして、下側の転び止め２２と同様に、軒桁５５の傾斜面５６にこれを固定する。
【００３０】
以下、同様にして、他の垂木ユニット１０が設置されていく。なお、他の垂木ユニット１０も、取り付けられる部位に応じて、垂木の間隔や開口部の有無などを適宜変更され得るものである。もちろん、単一の垂木ユニット１０で屋根３１全体を構成することとしてもよい。
【００３１】
ここで、一方の端の転び止め２２を、たとえば図２に示す後付け転び止め部材２３のように初めから隣接する垂木ユニット１０に向かって突出するように取り付けておいたとすると、この転び止め２２は一方の小口面のみで垂木２０と接することとなり、不安定なため破損や紛失のおそれ大である。それを防ぐため、現に母屋５０や軒桁５５に設置されるまで、後付け転び止め部材２３は取り外しが容易な状態で図１に示すように仮留めされている。このように仮留めすることで、垂木ユニット１０を屋根３１まで挙上する間に、一方の端から突出した転び止め２２をどこかにぶつけるなどして破損させたり落下させたりするおそれがなくなる。また、転び止め２２を作業員がわざわざ垂木ユニット１０とは別途に運搬したりする必要もなくなる。これにより、作業効率の向上のみならず、作業中の安全性も確保されることとなっている。
【００３２】
なお、後付け転び止め部材２３が仮留めされる部位は、上記のように垂木２０の外側面に限らず、垂木２０の内側面であってもよい。いずれの場合も、取付予定位置の近傍に仮留めされることが望ましい。
【００３３】
上述のとおり、最初の垂木ユニット１０を屋根３１に設置する際、垂木２０の間の特定間隔２６の箇所に天秤梁４５を挟めることで、垂木ユニット１０の位置決めが容易である。その後は順次、後付け転び止め部材２３によって隣接する垂木ユニット１０との間隔を適正に保つことが可能となっている。
【符号の説明】
【００３４】
１０  垂木ユニット
２０  垂木                ２１  切り欠き            ２２  転び止め
２３  後付け転び止め部材  ２４  鼻隠し              ２５  開口部
２６  特定間隔
３０  家屋                ３１  屋根                ３２  １階床
３３  ２階床              ３４  妻側壁              ３５  デッキ
３６  デッキ天井          ３７  軒側壁
４０  小屋束              ４５  天秤梁
５０  母屋                ５５  軒桁                ５６  傾斜面
【図１】
0003219200.tif 000003
【図２】
0003219200.tif 000004
【図３】
0003219200.tif 000005
【図４】
0003219200.tif 000006
【図５】
0003219200.tif 000007